(57)【要約】【課題】簡易な仕組みにより、さまざまな動作を指令することが可能な手書き情報取得装置を提供することを目的とする。【解決手段】原稿に加筆された加筆情報の画像データと該原稿を識別する識別データとを取得する手書き情報取得装置１０ａであって、所定の筆記具６を用いて、所定の位置に配置された原稿２０１に加筆することにより該原稿２０１に加筆された加筆情報の画像データを取得する加筆領域１００および該筆記具６を配置することにより所定の指令を発出する指令領域１０１を有する情報取得部３と、指令領域１０１に筆記具６を配置することにより発出された指令に基づいて、加筆領域１００に加筆することにより取得された画像データを処理する画像データ処理部と、を備えた。【選択図】図２
2005063029.tif 000002
【特許請求の範囲】
【請求項１】
原稿に加筆された加筆情報の画像データと該原稿を識別する識別データとを取得する手書き情報取得装置であって、
所定の筆記具を用いて、所定の位置に配置された原稿に加筆することにより該原稿に加筆された加筆情報の画像データを取得する加筆領域および該筆記具を配置することにより所定の指令を発出する指令領域を有する情報取得部と、
前記指令領域に前記筆記具を配置することにより発出された前記指令に基づいて、前記加筆領域に加筆することにより取得された画像データを処理する画像データ処理部と、を備えたことを特徴とする手書き情報取得装置。
【請求項２】
前記情報取得部は、前記筆記具の配置位置を判別する判別部と、該判別部により該配置位置が前記加筆領域であると判別されたときに該加筆領域に加筆された加筆情報を画像データに変換する変換部と、該判別部により該配置位置が前記指令領域であると判別されたときに該筆記具を用いて所定の動作を行うことにより該配置位置に対応する指令を発出する指令発出部とを備えたことを特徴とする請求項１記載の手書き情報取得装置。
【請求項３】
所定の情報機器とのインタフェースを有し、前記画像データ処理部は、前記指令に基づいて前記画像データを該情報機器に送信することを特徴とする請求項１記載の手書き情報取得装置。
【請求項４】
前記原稿に記された識別子を読み取り前記識別データを得る識別子読取部を備え、
前記指令発出部は、前記識別子読取部により読み取られた前記識別データに基づいて、前記配置位置に対応する指令を切り替えることを特徴とする請求項２記載の手書き情報取得装置。
【請求項５】
前記情報取得部は、複数の前記指令領域を有するものであって、
前記指令発出部は、前記指定領域それぞれに前記筆記具が配置されることにより、それぞれ異なる指令を発出することを特徴とする請求項２または４記載の手書き情報取得装置。
【請求項６】
前記指令発出部は、前記指令領域を前記筆記具でタップする回数に応じて、それぞれ異なる指令を発出することを特徴とする請求項２または４記載の手書き情報取得装置。
【請求項７】
前記指令発出部は、前記判別部により前記配置位置が前記指令領域であると判別されたときに、前記筆記具を用いて該指令領域に記されたパターンを認識するとともに、認識したパターンに応じて異なる指令を発出することを特徴とする請求項２または４記載の手書き情報取得装置。
【請求項８】
前記判別部は、前記所定の位置に配置された原稿の上から前記筆記具の配置位置を判別することを特徴とする請求項２記載の手書き情報取得装置。
【発明の詳細な説明】
【技術分野】
【０００１】
本発明は、手書き情報を電子化された画像データに変換するとともに、所定の処理を行うことが可能な手書き情報取得装置に関する。
【背景技術】
【０００２】
今日、情報機器の普及は目覚しく、情報機器を用いて様々な業務がオンラインで処理されている。文書作成業務においても電子化が進展し、情報機器を用いて文書を作成し、作成した文書を画像データ、いわゆる電子文書として記憶媒体に保存しておくケースや、保存した電子文書を再び表示画面に表示して編集加工を施し利用するケースが増大している。
【０００３】
一方、ブラウン管（ＣＲＴ）や液晶（ＬＣＤ）パネルに表示される電子文書は部分的であることや、表示された文字などが紙媒体に印刷された文書に較べて見にくいことなどから、電子文書を紙に印刷し、紙文書の形態で利用されるケースも増加する傾向にある。
【０００４】
しかしながら、紙文書に、手書きにより修正事項などを加筆した場合に、その加筆情報を元の電子文書に反映させるには、加筆情報を電子化する必要がある。
【０００５】
手書きによる加筆情報を電子化する装置として、手書き入力装置が広く知られているが、手書き入力装置は低機能であるため使い勝手が悪いという問題がある。例えば、タブレット、デジタイザと呼ばれる、板状のセンサとペン型の書き込み具を用いて手書き文字などをコンピュータへ入力する手書き入力装置は、書き込み具により手書きされた加筆情報を単に座標データに変換するタイプのものである。また、紙文書に手書きされた加筆情報をスキャナで電子文書に変換することも可能であるが、変換された電子文書は、ワープロソフトなどを用いて作成した元の電子文書とは独立の電子文書である上、手書きによる加筆情報は、必ずしも正しく電子文書に変換されるとは限らない。すなわち、これらの手書き入力装置では、紙文書に印刷された元の電子文書を識別することはできないので、たとえ加筆情報が完全に電子文書に変換されたとしても、変換された電子文書を元の電子文書に挿入することは不可能である。
【０００６】
そこで、電子文書から紙文書を印刷する際に、その電子文書が格納されたファイルの保管場所、ファイル名、ページ番号などをあらわす、例えばバーコードを電子文書の識別情報としてその紙文書に同時に印刷する。そして、紙文書に手書きで加筆するときに、加筆された加筆情報と共にその識別情報を取得しておき、紙文書が印刷された元の電子文書を、識別情報に基づいて抽出することにより、加筆情報を電子文書に挿入可能にしたものがある（特許文献１参照）。
【０００７】
また、手書き入力装置に複数の紙文書を積載し、複数の紙文書をめくりながら自動的に紙文書の元の電子文書を識別可能にし、多量の紙文書に施された加筆情報を電子文書に反映し、電子文書と紙文書とを用いて効率よく業務を行なうことを可能にしたものもある（特許文献２参照）。
【０００８】
なお、紙文書に手書きされた加筆情報を読み取り画像データを得る方法としては、感圧方式（特許文献３参照）、電磁誘導式（特許文献２参照）、感熱方式（特許文献２参照）などが提案されている。
【０００９】
図1は、手書き入力装置の一例を示す概略図である。
【００１０】
図１に示す手書き入力装置５０は、紙文書１に加えられた筆記動作による手書き情報２を、紙文書１を印刷した元の電子文書へ反映させるための装置であり、筆記動作による手書き情報から電子化された画像データを取得する、電磁誘導式のデジタイザからなる手書き入力部３と、紙文書１に印刷された文書識別情報４を読み取る識別情報読取部５と、紙文書１に手書き情報２を入力する電磁ペン６とを備えている。
電磁ペン６で紙文書１に手書き情報２を加筆する際に、手書き情報２の画像データを取得するのと同時に、文書識別情報４を読み取る。したがって、取得された画像データは、文書識別情報４に従って、元の電子文書へ反映することができる。
【特許文献１】特開平９−９１０８３号公報（段落番号０００５〜段落番号００１０、図１〜図１１）
【特許文献２】特開２０００−１１２６４６号公報（段落番号００３５〜段落番号００４２、段落番号００５４〜段落番号００５７、図１〜図４、図１１〜図１４）
【特許文献３】特開２０００−７６３６６号公報（段落番号０００５、図１）○
【発明の開示】
【発明が解決しようとする課題】
【００１１】
しかしながら、手書き入力装置を動作させるには、手書き入力装置にさまざまな指令、例えば、手書き入力装置を初期化させることや、手書き情報を保存、あるいは転送させるなどの指令を与える必要があり、そのような指令を与えるために、各動作に対応したスイッチを設けることも考えられるが、そのような機構を設けると部品点数が増大する上、故障の要因になり、コストアップを招くという問題がある。
【００１２】
本発明は、上記事情に鑑み、簡易な仕組みにより、さまざまな動作を指令することが可能な手書き情報取得装置を提供することを目的とする。
【課題を解決するための手段】
【００１３】
上記の目的を達成する本発明の手書き情報取得装置は、原稿に加筆された加筆情報の画像データと該原稿を識別する識別データとを取得する手書き情報取得装置であって、所定の筆記具を用いて、所定の位置に配置された原稿に加筆することにより該原稿に加筆された加筆情報の画像データを取得する加筆領域および該筆記具を配置することにより所定の指令を発出する指令領域を有する情報取得部と、上記指令領域に上記筆記具を配置することにより発出された上記指令に基づいて、上記加筆領域に加筆することにより取得された画像データを処理する画像データ処理部とを備えたことを特徴とする。
【００１４】
これにより、原稿に加筆された加筆情報から取得した画像データの、例えば
外部の情報機器との送受信や保存、あるいは初期化などの処理が、加筆領域に隣接する指令領域に筆記具を配置するという簡単な操作で、画像データを取得したのと同様の、筆記具の動きを検出する簡易な仕組みを用いて実現することができる。
【発明の効果】
【００１５】
上記説明のように本発明の手書き情報取得装置は、筆記具を用いて加筆などを行う手書き入力部に、同じ原理で筆記具の動きを検出する加筆領域と指令領域とを設け、加筆領域に加筆された加筆情報の画像データを、指令領域に配置された筆記具の配置位置に応じて発出されるさまざまな指令に基づいて処理する簡易な仕組みを有するので、故障になりにくいほか、その画像データを、例えば外部の情報機器に格納された電子文書に容易に反映させることができる。
【発明を実施するための最良の形態】
【００１６】
以下に、本発明の手書き情報取得装置の実施形態について説明する。
（第１の実施形態）
図２は、本発明の手書き情報取得装置の第１の実施形態を示す図である。
【００１７】
図２に示す手書き情報取得装置１０ａは、筆記具の形態をなし、筆先から電磁界が放射される電磁ペン６と、その電磁ペン６を用いて、所定の位置に配置された紙文書２０１に加筆することによりその紙文書２０１に加筆された加筆情報の画像データを取得する加筆領域１００および電磁ペン６を配置することにより所定の指令を発出する３つの指令領域１０１Ａ，１０１Ｂ，１０１Ｃを有する手書き入力部３と、指令領域１０１Ａ，１０１Ｂ，１０１Ｃに電磁ペン６を配置することにより発出された指令に基づいて、加筆領域１００に加筆することにより取得された画像データを処理する、図に現れない画像データ処理部と、紙文書２０１に記録されたバーコードからなる文書識別情報を読み取り識別データを得るバーコードリーダからなる識別情報読取部５とを備えている。
【００１８】
さらに、手書き入力部３は、後述するように、電磁ペン６の配置位置を判別する判別部と、判別部により配置位置が加筆領域であると判別されたときに所定の位置に配置された紙文書２０１に加筆する電磁ペン６の筆先の位置を検出することにより、紙文書２０１に手書きで加筆された加筆情報２を電子化された画像データに変換する変換部と、判別部により配置位置が３つの指令領域１０１Ａ，１０１Ｂ，１０１Ｃの何れかであると判別されたときに電磁ペン６の筆先の配置位置に対応する指令を発出する指令発出部と、を備えている。
【００１９】
なお、本実施形態の紙文書２０１には、その紙文書２０１を所定の位置に配置したときに、指令領域１０１Ａ，１０１Ｂ，１０１Ｃに重なる位置に、予め領域表示１０１ａ、１０１ｂ、１０１ｃが印刷されている。
【００２０】
このように、領域表示が印刷されていれば、指令領域に電磁ペン６の筆先を配置して、指令を発出することが容易になる。
【００２１】
ここで、本実施形態における加筆情報の電子化は、電磁ペン６から放射される電磁界を変換部の検出回路で検出する、いわゆる電磁誘導方式により行っているが、必ずしもこれに限定されず、筆先から発射される超音波を互いに離れた２地点で検出する、超音波方式を用いてもよく、筆先の熱を感知する感熱方式や筆圧を感知する感圧方式を用いてもよい。また、本実施形態における識別データは、バーコード４をバーコードリーダで読み取る方法により取得しているが、２次元コードをコードリーダで読み取ることにより取得してもよい。
【００２２】
【表１】
2005063029.tif 000003
表１は、手書き入力部３に備える指令発出部から発出される指令の一例を示す表である。
【００２３】
本実施形態においては、紙文書２０１に記録されたバーコードの一部に、紙文書２０１の書式情報が３種類含まれており、その書式情報によって指令発出部から発出される指令がＡ，Ｂ，Ｃの３種類に区分される。また、本実施形態の手書き入力部には、３つの指令領域１０１Ａ，１０１Ｂ，１０１Ｃがあり、それぞれから異なる指令が発出されるように構成されている。したがって、指令発出部は、書式情報３種類と指令領域３種類とにより９種類の指令を発出することができる。
【００２４】
具体的には、表１に示すように、書式情報は、「０００１」、「０００２」、「０００３」の３種類があり、「０００１」に対しては指令区分「Ａ」、「０００２」に対しては指令区分「Ｂ」、「０００３」に対しては指令区分「Ｃ」が対応する。そして、手書き入力部の加筆領域および指令領域に共通に割り付けられた２次元座標（Ｘ，Ｙ）において、指令領域１０１Ａは、Ｘ座標が３００から４００までの範囲、Ｙ座標が１２００から１３００までの範囲に配置され、指令領域１０１Ｂは、Ｘ座標が６００から７００までの範囲、Ｙ座標が１２００から１３００までの範囲に配置され、指令領域１０１Ｃは、Ｘ座標が９００から１１００までの範囲、Ｙ座標が１２００から１３００までの範囲にそれぞれ配置されている。そして、指令区分「Ａ」においては、指令領域１０１Ａは、「装置初期化」という指令が割り付けられ、指令１０１Ｂは、「データ送信」という指令が割り付けられ、指令１０１Ｃは、「データ保存」という指令がそれぞれ割り付けられている。また、指令区分「Ｂ」においては、指令領域１０１Ａは、「コピー」という指令が割り付けられ、指令１０１Ｂは、「メール送信」という指令が割り付けられ、指令１０１Ｃは、「消去」という指令がそれぞれ割り付けられている。さらに、同様にして、指令区分「Ｃ」においては、指令領域１０１Ａは、「動作Ｘ」という指令が割り付けられている。
【００２５】
いま、所定の配置位置に設置された紙文書２０１に対し、電磁ペン６を２次元座標平面（Ｘ，Ｙ）＝（６２９、１２２０）に配置し、識別情報読取部５により、書式情報「０００１」が得られたときは、指令発出部は、表1に示す指令区分の中の「Ａ」が選択され、さらに指令領域１０１Ｂが選択されたものとみなして「データ送信」という指令を発出する。また、指令領域１０１Ｂに代えて、指令領域１０１Ａが選択されたときは「装置初期化」という指令を発出し、指令領域１０１Ｃが選択されたときは「データ保存」という指令を発出する。
【００２６】
また、異なる紙文書２０１が配置され、書式情報として「０００２」が得られたときは、電磁ペン６が配置された位置が、同じ２次元座標平面（Ｘ，Ｙ）＝（６２９、１２２０）上に配置されても、異なる指令「メール送信」が発出される。
【００２７】
ここで、本実施形態の３つの指令領域１０１Ａ，１０１Ｂ，１０１Ｃには、それぞれ１種類の「指令」が割り付けられている。しかし、必ずしも１種類である必要はなく、複数種類であってもよい。また複数種類を連続的に変化するように割り付けることもできる。また、本実施形態のバーコードには、紙文書２０１の書式情報が３種類含まれているが、書式情報の種類はこれに限定されない。
【００２８】
図３は、手書き情報取得装置の機能ブロックを示す図である。
【００２９】
図３に示す手書き情報取得装置１０ａは、電磁ペン６と、識別情報読取部５と、手書き入力部３と、外部の情報機器とのインタフェース部３０と、これら各部を接続するデータバス１６とを備えている。
【００３０】
手書き入力部３は、電磁ペン６が加筆領域に配置されたか、指令領域に配置されたかを判別する判別部１１と、判別部１１により配置位置が加筆領域であると判別されたときに所定の位置に配置された紙文書に加筆する電磁ペン６の筆先の位置を、電磁ペン６から放射される電磁界を検出回路で検出することにより、紙文書２０１に手書きで加筆された加筆情報を電子化された画像データに変換する変換する変換部１２と、判別部１１により配置位置が３つの指令領域１０１Ａ，１０１Ｂ，１０１Ｃの何れかであると判別されたときに、電磁ペン６の筆先の配置位置に対応する指令を発出する指令発出部２０と、を備え、指令発出部２０は、指令領域１０１Ａに対応する指令を発出する指令生成部２１と、指令領域１０１Ｂに対応する指令を発出する指令生成部２２と、指令領域１０１Ｃに対応する指令を発出する指令生成部２３とを有する。
【００３１】
本実施形態の手書き情報取得装置１０ａに紙文書が配置されると、識別情報読取部５は、紙文書に記録された文書識別情報を読み取り、紙文書が印刷された元の電子文書（例えば、パーソナルコンピュータのワードプロセッサ機能により作成され、パーソナルコンピュータの記憶媒体または外部の記憶媒体に記憶されているデータを称する。）が格納されたファイル名などの識別情報と、紙文書が様式化された書式情報とを取得する。指令切替部１５は、識別情報読取部５により読み取られた書式情報により所定の指令区分に切り替える。
【００３２】
一方電磁ペン６で加筆領域上の原稿に手書きによる加筆を行うと、変換部１１は、その加筆位置の電磁界を検出回路で検出することにより加筆情報を画像データに変換し、変換した画像データを一時記憶する。そして、３つの指令領域のうちの何れかの指令領域、例えば指令領域１０１Ａに電磁ペンの筆先をタッチすると、指令発出部２０は、タッチした指令領域１０１Ａに対応する指令を発出する指令生成部２１から、所定の指令を発出する。画像データ処理部１３は、変換部１１に一時記憶された画像データを、指令発出部２０の指令生成部２１から発出された指令に基づいて処理する。なお、画像データ処理部１３は、必要により、インタフェース部３０を介して、紙文書に手書きで加筆された画像データを外部の、例えばパーソナルコンピュータに送信する。
【００３３】
このように、紙文書に手書きで加筆された加筆情報を所定のフォーマットで電子化した画像データを、紙文書が印刷された元の電子文書を格納するパーソナルコンピュータなどに送信することにより、パーソナルコンピュータ上で元の電子文書に加筆情報を反映させることができる。
【００３４】
本実施形態の手書き情報取得装置は、手書き入力部３が、データバス１６、インタフェース部３０を介して外部に接続されるように構成されている。しかし、手書き情報取得装置は、ソフトウエアで一部の機能を充足させることにより単一のコンピュータの入力機器として用いることができる。
【００３５】
また、手書き入力部３のうちの、判別部１１、指令発出部２０、指令生成部２１〜２３は、必ずしも手書き情報取得装置と一体的に構成する必要はなく、例えばパーソナルコンピュータ側に設けることもできる。
【００３６】
さらに、本実施形態に用いる紙文書２０１には、指令領域１０１Ａ，１０１Ｂ，１０１Ｃに重なる位置に、予め領域表示が印刷されているが、必ずしもその必要はない。また、紙文書は、必ずしも指令領域１０１Ａ，１０１Ｂ，１０１Ｃに重なるサイズにする必要もなく、指令領域１０１Ａ，１０１Ｂ，１０１Ｃを、配置された紙文書から外れた位置に設けることもできる。
（第２の実施形態）
第２の実施形態の手書き情報取得装置は、第１の実施形態と比べて、指令領域が１箇所で、その指令領域を電磁ペンで所定の時間内にタップする回数により指令発出部が発出する指令を切り替える点が相違する。
【００３７】
ここで、本実施形態における「タップ」とは、入力情報取得装置の所定の平面領域に、電磁ペンの筆先で点を描くように接触する動作をいう。
【００３８】
図４は、第２の実施形態の手書き情報取得装置を示す概略斜視図である。
【００３９】
図４に示す手書き情報取得装置１０ｂは、筆記具の形態をなし、筆先から電磁界が放射される電磁ペン６と、その電磁ペン６を用いて、所定の位置に配置された紙文書２０１に加筆することによりその紙文書２０１に加筆された加筆情報の画像データを取得する加筆領域１００および電磁ペン６を配置することにより所定の指令を発出する指令領域１０２を有する手書き入力部３と、指令領域１０２に電磁ペン６を配置することにより発出された指令に基づいて、加筆領域１００に加筆することにより取得された画像データを処理する、図に現れない画像データ処理部と、紙文書２０１に記録されたバーコードからなる文書識別情報を読み取り識別データを得るバーコードリーダからなる識別情報読取部５と、を備えている。
【００４０】
さらに、手書き入力部３は、後述するように、電磁ペン６の配置位置を判別する判別部と、判別部により配置位置が加筆領域であると判別されたときに所定の位置に配置された紙文書２０１に加筆する電磁ペン６の筆先の位置を検出することにより、紙文書２０１に手書きで加筆された加筆情報２を電子化された画像データに変換する変換部と、判別部により配置位置が指令領域１０１であると判別されたときに電磁ペン６の筆先が所定時間にタップされる回数に応じた指令を発出する指令発出部と、を備えている。
【００４１】
なお、本実施形態の紙文書２０１には、その紙文書２０１を所定の位置に配置したときに、指令領域１０２に重なる位置に、予め領域表示１０２ａが印刷されている。
【００４２】
このように、領域表示が印刷されていれば、指令領域に電磁ペン６の筆先を配置して、指令を発出することが容易になる。
【００４３】
ここで、本実施形態における加筆情報の電子化は、電磁ペン６から放射される電磁界を変換部の検出回路で検出する、いわゆる電磁誘導方式により行っているが、必ずしもこれに限定されず、筆先から発射される超音波を互いに離れた２地点で検出する、超音波方式を用いてもよく、筆先の熱を感知する感熱方式や筆圧を感知する感圧方式を用いてもよい。また、本実施形態における識別データは、バーコード４をバーコードリーダで読み取る方法により取得しているが、２次元コードをコードリーダで読み取ることにより取得してもよい。
【００４４】
【表２】
2005063029.tif 000004
表２は、手書き入力部３に備える指令発出部から発出される指令の一例を示す表である。
【００４５】
本実施形態においては、紙文書２０１に記録されたバーコードの一部に、紙文書２０１の書式情報が２種類含まれており、その書式情報によって指令発出部から発出される指令がＡ，Ｂの２種類に区分される。また、本実施形態の手書き入力部には、指令領域１０１があり、電磁ペン６で所定の時間にその指令領域１０１をタップする回数（１から３）に応じてそれぞれ異なる指令が発出されるように構成されている。したがって、指令発出部は、書式情報２種類とタップ回数３とにより６種類の指令を発出することができる。
【００４６】
具体的には、表２に示すように、書式情報は、「０００１」、「０００２」の２種類があり、「０００１」に対しては指令区分「Ａ」、「０００２」に対しては指令区分「Ｂ」が対応する。そして、指令区分「Ａ」において、タップ回数が１回のときは、「装置初期化」という指令が割り付けられ、タップ回数２回のときは、「データ送信」という指令が割り付けられ、タップ回数３回のときは、「データ保存」という指令がそれぞれ割り付けられる。また、指令区分「Ｂ」において、タップ回数１回のときは、「コピー」という指令が割り付けられ、タップ回数２回のときは、「メール送信」という指令が割り付けられ、タップ回数３回のときは、「消去」という指令がそれぞれ割り付けられる。
【００４７】
また、指令領域１０１の範囲およびタップする動作時間を設定することもできる。
【００４８】
【表３】
2005063029.tif 000005
表３は、指令領域１０１の範囲を２次元座標平面（Ｘ，Ｙ）により設定した一例を示す。
【００４９】
本実施形態では、Ｘ座標は、３００から４００の範囲、Ｙ座標は、１２００から１３００の範囲に設定されている。
【００５０】
【表４】
2005063029.tif 000006
表４は、指令領域１０１をタップする数をカウントする時間範囲を設定した一例を示す。  
本実施形態では、タップする数をカウントする時間範囲は１５００ｍｓに設定されている。
【００５１】
図５は、第２の実施形態の手書き情報取得装置の機能ブロックを示す図である。
【００５２】
図５に示す手書き情報取得装置は、電磁ペン６と、識別情報読取部５と、手書き入力部３と、外部の情報機器とのインタフェース部３０と、これら各部を接続するデータバス１６とを備えている。
【００５３】
手書き入力部３は、電磁ペン６が加筆領域に配置されたか、指令領域に配置されたかを判別する判別部１１と、判別部１１により配置位置が加筆領域であると判別されたときに所定の位置に配置された紙文書に加筆する電磁ペン６の筆先の位置を、電磁ペン６から放射される電磁界を検出回路で検出することにより、紙文書２０１に手書きで加筆された加筆情報を電子化された画像データに変換する変換する変換部１２と、判別部１１により配置位置が指令領域であると判別されたときに、電磁ペン６の筆先の配置位置に対応する指令を発出する指令発出部２０と、電磁ペン６によるタップ時間を計時するタイマ２６とを備え、指令発出部２０は、タイマ２６により計時された所定時間内に１回タップしたときに指令を発出する指令生成部２５ａと、所定時間内に２回タップしたときに指令を発出する指令生成部２５ｂと、所定時間内に３回タップしたときに指令を発出する指令生成部２５ｃとを有する。
【００５４】
本実施形態の手書き情報取得装置１０ｂに紙文書が配置されると、識別情報読取部５は、紙文書に記録された文書識別情報を読み取り、紙文書が印刷された元の電子文書が格納されたファイル名などの識別情報と、紙文書が様式化された書式情報とを取得する。指令切替部１５は、識別情報読取部５により読み取られた書式情報により所定の指令区分に切り替える。
【００５５】
一方電磁ペン６で加筆領域上の原稿に手書きによる加筆を行うと、変換部１１は、その加筆位置の電磁界を検出回路で検出することにより加筆情報を画像データに変換し、変換した画像データを一時記憶する。そして、指令領域１０１に電磁ペンの筆先を、例えば複数回タップすると、指令発出部２０は、タップした回数に対応し、例えば指令生成部２５ａから、所定の指令を発出する。画像データ処理部１３は、変換部１１に一時記憶された画像データを、指令発出部２０の指令生成部２５ａから発出された指令に基づいて処理する。なお、画像データ処理部１３は、必要により、インタフェース部３０を介して、紙文書に手書きで加筆された画像データを外部の、例えばパーソナルコンピュータに送信する。
【００５６】
このように、紙文書に手書きで加筆された加筆情報を所定のフォーマットで電子化した画像データを、紙文書が印刷された元の電子文書を格納するパーソナルコンピュータなどに送信することにより、パーソナルコンピュータ上で元の電子文書に加筆情報を反映させることができる。
【００５７】
本実施形態の手書き情報取得装置においても、手書き入力部３が、データバス１６、インタフェース部３０を介して外部に接続されるように構成されている。しかし、手書き情報取得装置は、ソフトウエアで一部の機能を充足させることにより単一のコンピュータの入力機器として用いることができる。また、手書き入力部３のうちの、判別部１１、指令発出部２０、指令生成部２１〜２３は、必ずしも手書き情報取得装置と一体的に構成する必要はなく、例えばパーソナルコンピュータ側に設けることもできる。さらに、本実施形態に用いる紙文書２０１には、指令領域１０１に重なる位置に、予め領域表示が印刷されているが、必ずしもその必要はない。
（第３の実施形態）
第３の実施形態の手書き情報取得装置は、第２の実施形態と比べて、指令領域が１箇所である点は共通するが、その指令領域に手書きにより、予め設定された所定のパターンを書き込むことにより指令発出部が発出する指令を切り替える点が相違する。
【００５８】
図６は、第３の実施形態の手書き情報取得装置を示す概略斜視図である。
【００５９】
本実施形態の手書き情報取得装置１０ｃは、第２の実施形態の手書き情報取得装置１０ｂと比べて、指令領域１０３は相違するが、それ以外は共通するので、同一の構成要素には同一の符号を付し、相違点について説明する。
【００６０】
図６に示す手書き情報取得装置１０ｃは、電磁ペン６と、加筆情報の画像データを取得する加筆領域１００および電磁ペン６で手書きによりパターンを書き込み、書き込まれたパターンが、予め設定されたパターンに一致するときはそのパターンにより定義された指令を発出する指令領域１０３を有する手書き入力部３と、加筆領域１００に加筆することにより取得された画像データを処理する、図に現れない画像データ処理部と、紙文書２０１に記録されたバーコードからなる文書識別情報を読み取り識別データを得るバーコードリーダからなる識別情報読取部５と、を備えている。
【００６１】
なお、本実施形態の紙文書２０１には、その紙文書２０１を所定の位置に配置したときに、指令領域１０３に重なる位置に、予め領域表示１０３ａが印刷されている。
【００６２】
このように、領域表示が印刷されていれば、指令領域に電磁ペン６の筆先を配置して、指令を発出することが容易になる。
【００６３】
ここで、本実施形態における加筆情報の電子化は、電磁ペン６から放射される電磁界を変換部の検出回路で検出する、いわゆる電磁誘導方式により行っているが、必ずしもこれに限定されず、筆先から発射される超音波を互いに離れた２地点で検出する、超音波方式を用いてもよく、筆先の熱を感知する感熱方式や筆圧を感知する感圧方式を用いてもよい。また、本実施形態における識別データは、バーコード４をバーコードリーダで読み取る方法により取得しているが、２次元コードをコードリーダで読み取ることにより取得してもよい。
【００６４】
【表５】
2005063029.tif 000007
表５は、手書き入力部３に備える指令発出部から発出される指令の一例を示す表である。
【００６５】
本実施形態においては、紙文書２０１に記録されたバーコードの一部に、紙文書２０１の書式情報が２種類含まれており、その書式情報によって指令発出部から発出される指令がＡ，Ｂの２種類に区分される。また、本実施形態の手書き入力部には、指令領域１０３があり、電磁ペン６でＩ、Ｒ、Ｓの３つのパターンのうちの何れかを書き込むと、その書き込んだパターンに応じてそれぞれ異なる指令が発出されるように構成されている。したがって、指令発出部は、書式情報２種類と３つのパターンとにより６種類の指令を発出することができる。
【００６６】
具体的には、表５に示すように、書式情報は、「０００１」、「０００２」の２種類があり、「０００１」に対しては指令区分「Ａ」、「０００２」に対しては指令区分「Ｂ」が対応する。そして、指令区分「Ａ」において、パターンがＩのときは、「装置初期化」という指令が割り付けられ、パターンがＳのときは、「データ送信」という指令が割り付けられ、パターンがＲのときは、「データ保存」という指令がそれぞれ割り付けられる。また、指令区分「Ｂ」において、パターンがＩのときは、「コピー」という指令が割り付けられ、パターンがＳのときは、「メール送信」という指令が割り付けられ、パターンがＲのときは、「消去」という指令がそれぞれ割り付けられる。
【００６７】
また、指令領域１０３の範囲を設定することもできる。
【００６８】
【表６】
2005063029.tif 000008
表６は、指令領域１０３の範囲を２次元座標平面（Ｘ，Ｙ）により設定した一例を示す。
【００６９】
本実施形態では、Ｘ座標は、３００から４００の範囲、Ｙ座標は、１２００から１３００の範囲に設定されている。
【００７０】
図７は、第３の実施形態の手書き情報取得装置の機能ブロックを示す図である。
【００７１】
図７に示す手書き情報取得装置１０ｃは、電磁ペン６と、識別情報読取部５と、手書き入力部３と、外部の情報機器とのインタフェース部３０と、これら各部を接続するデータバス１６とを備えている。
【００７２】
手書き入力部３は、電磁ペン６が加筆領域に配置されたか、指令領域に配置されたかを判別する判別部１１と、判別部１１により配置位置が加筆領域であると判別されたときに所定の位置に配置された紙文書に加筆する電磁ペン６の筆先の位置を、電磁ペン６から放射される電磁界を検出回路で検出することにより、紙文書２０１に手書きで加筆された加筆情報を電子化された画像データに変換する変換する変換部１２と、判別部１１により配置位置が指令領域１０３であると判別されたときに、電磁ペン６の筆先の配置位置に対応する指令を発出する指令発出部２０と、を備え、指令発出部２０は、指令領域１０３に書き込まれたパターンを読み取り、読み取られたパターンがＩのときに、指令を発出する指令生成部３１と、読み取られたパターンがＳのときに、指令を発出する指令生成部３２と、読み取られたパターンがＲのときに、指令を発出する指令生成部３３とを有する。
【００７３】
本実施形態の手書き情報取得装置１０ｃに紙文書が配置されると、識別情報読取部５は、紙文書に記録された文書識別情報を読み取り、紙文書が印刷された元の電子文書が格納されたファイル名などの識別情報と、紙文書が様式化された書式情報とを取得する。指令切替部１５は、識別情報読取部５により読み取られた書式情報により所定の指令区分に切り替える。
【００７４】
一方電磁ペン６で加筆領域上の原稿に手書きによる加筆を行うと、変換部１１は、その加筆位置の電磁界を検出回路で検出することにより加筆情報を画像データに変換し、変換した画像データを一時記憶する。そして、指令領域１０３に電磁ペンで、例えば「Ｓ」を書き込むと、指令発出部２０は、書き込まれた「Ｓ」を認識し、予め設定されている３つのパターンと比較する。そして、３つのパターンのうちのいずれかのパターンに一致したときは、その一致したパターンに応じた指令生成部３２から、所定の指令を発出する。画像データ処理部１３は、変換部１１に一時記憶された画像データを、指令発出部２０の指令生成部３２から発出された指令に基づいて処理する。なお、画像データ処理部１３は、必要により、インタフェース部３０を介して、紙文書に手書きで加筆された画像データを外部の、例えばパーソナルコンピュータに送信する。
【００７５】
このように、紙文書に手書きで加筆された加筆情報を所定のフォーマットで電子化した画像データを、紙文書が印刷された元の電子文書を格納するパーソナルコンピュータなどに送信することにより、パーソナルコンピュータ上で元の電子文書に加筆情報を反映させることができる。
【００７６】
本実施形態の手書き情報取得装置においても、手書き入力部３が、データバス１６、インタフェース部３０を介して外部に接続されるように構成されている。しかし、手書き情報取得装置は、ソフトウエアで一部の機能を充足させることにより単一のコンピュータの入力機器として用いることができる。
【００７７】
また、手書き入力部３のうちの、判別部１１、指令発出部２０、指令生成部３１〜３３は、必ずしも手書き情報取得装置と一体的に構成する必要はなく、例えばパーソナルコンピュータ側に設けることもできる。さらに、本実施形態に用いる紙文書２０１には、指令領域１０３に重なる位置に、予め領域表示が印刷されているが、必ずしもその必要はない。
【図面の簡単な説明】
【００７８】
【図１】手書き入力装置の一例を示す概略図である。
【図２】本発明の手書き情報取得装置の第１の実施形態を示す図である。
【図３】手書き情報取得装置の機能ブロックを示す図である。
【図４】第２の実施形態の手書き情報取得装置を示す概略斜視図である。
【図５】第２の実施形態の入力情報取得装置の機能ブロックを示す図である。
【図６】第３の実施形態の手書き情報取得装置を示す概略斜視図である。
【図７】第３の実施形態の入力情報取得装置の機能ブロックを示す図である。
【符号の説明】
【００７９】
１，２０１  紙文書  
２  手書き情報
３  手書き入力部
４  文書識別情報
５  識別情報読取部
６  電磁ペン
１０ａ，１０ｂ，１０ｃ  手書き情報取得装置
１１  変換部
１２  判別部
１３  画像データ処理部
１５  指令切替部
１６  データバス
２０  指令発出部
２１，２２，２３、２５ａ，２５ｂ，２５ｃ，３１，３２，３３  指令生成部
２６  タイマ
３０  インタフェース部
５０  手書き入力装置  
１０１Ａ，１０１Ｂ，１０１Ｃ，１０２，１０３  指令領域
１０１ａ，１０１ｂ，１０１ｃ，１０２ａ，１０３ａ  領域表示
【図１】
2005063029.tif 000009
【図２】
2005063029.tif 000010
【図３】
2005063029.tif 000011
【図４】
2005063029.tif 000012
【図５】
2005063029.tif 000013
【図６】
2005063029.tif 000014
【図７】
2005063029.tif 000015